(57)【要約】【課題】介護者に僅かな労力をも要求することなく、被介護者をベッドと車椅子との間を極めて容易に移動させることのできる介護支援装置を提供する。【解決手段】被介護者６０が横臥するベッド上に平板状に敷設されるキャリア３０と、キャリア３０を座椅子に変形して搭載し得る車椅子１０と、で構成され、キャリア３０は、その上に被介護者６０を仰向けに寝かせた場合、被介護者６０の頭部側の一端側を上方へ屈曲させるとともに所定の位置で屈曲の状態を維持させることにより、前記一端側を背もたれ部３２、他端側を座板部３１とする座椅子として構成できるとともに、座板部３１の各辺のうち少なくとも一辺から突出し座板部３１とほぼ面一に形成される取手部３６が具備され、車椅子１０は、キャリア３０の取手部３６を把持する把持機構１６と、把持機構１６を車椅子１０の中央側へ移動させる摺動機構１７と、が具備されている。【選択図】  図１
2014042708.tif 000002
【特許請求の範囲】
【請求項１】
臥位状態の被介護者を座位状態にして搭乗させる介護支援装置であって、
屈曲可能に連結された座板部と背もたれ部を有して前記被介護者を搬送するキャリアと、  前記キャリアを着脱自在に搭載させる車椅子と、を備え、
前記キャリアの前記座板部が、その周縁のうち少なくとも一辺から突出し前記座板部とほぼ面一に形成される取手部を有し、
前記車椅子は、前記キャリアの前記取手部を把持する把持機構と、前記把持機構を前記車椅子の中央側へ移動させる摺動機構と、を有し、
前記キャリアは、その上に前記被介護者を仰向けに寝かせた場合、前記被介護者の頭部側の一端側を上方へ屈曲させるとともに所定の位置で前記屈曲の状態を維持させることにより、前記一端側を前記背もたれ部、他端側を前記座板部とする座椅子として構成できることを特徴とする介護支援装置。
【請求項２】
前記把持機構が、前記キャリアの前記取手部を嵌合する開口と、前記開口に嵌合された前記取手部を解除可能に係止する係止部とを備えることを特徴とする請求項１に記載の介護支援装置。
【請求項３】
前記車椅子が、さらに、前記把持機構および前記摺動機構を上下動させる上下駆動機構を有することを特徴とする請求項１に記載の介護支援装置。
【発明の詳細な説明】
【技術分野】
【０００１】
本発明は介護支援装置に係り、被介護者をベッドと車椅子との間を移動させる際に好適な介護支援装置に関する。
【背景技術】
【０００２】
たとえば寝たきりの老人（被介護者）をベッドから車椅子に移動させる場合、介護者が老人を担ぎ、近くに待機させている車椅子にまで運んで座らせるようにしている。この場合、多くの老人には自力で歩こうとする意志がなく、介護者は老人の全体重を受けながら被介護者を車椅子まで運ばなければならなくなる。そして、介護者は、１日のうちに、上述した動作を数回繰り替えさなければならない場合があり、それによって被る疲労感は無視できないものとなる。
【０００３】
それ故、このような不都合を解消するものとして、たとえば下記特許文献１に示すような座席部着脱式車椅子が知られている。この座席部着脱式車椅子は、前方に一対からなる伸縮レールを備える車椅子と、背もたれが形成されている側において前記伸縮レールが挿入される挿通案内溝を有する座椅子型キャリアと、から構成され、椅子型キャリアを前記伸縮レールを介してベッドと車椅子との間を往来させることができるように構成されたものとなっている。このように構成された座席部着脱式車椅子は、ベッド上の被介護者を座椅子型キャリアごと車椅子に運ぶことができ、その逆の動作も可能としている。
【先行技術文献】
【特許文献】
【０００４】
【特許文献１】特開平11-235361号公報
【発明の概要】
【発明が解決しようとする課題】
【０００５】
しかし、特許文献１に示した座席部着脱式車椅子の場合、その座椅子型キャリアは、初めから背もたれを有する座椅子の形状をなしていることから、介護者は、ベッドに横臥している老人等の被介護者を少なくとも上半身を起こさなければならず、それに要する労力は、老人等が起きようとする意志のない場合において多大なものとなる。
【０００６】
そして、車椅子に具備されている伸縮レールは、座椅子型キャリアの背部（背もたれが形成されている部分）の側から、座椅子型キャリアに形成された挿通案内溝に挿入するようにしていることから、該座椅子型キャリアは、ベッド上において、車椅子の伸縮レールが前記挿通案内溝に挿入されやすい向きで配置されることになる。このため、いままでベッドに横臥していた老人等の上半身を起こし、さらに、座椅子型キャリアの背もたれに被介護者の背中が対向するように該被介護者の向きを変えて、座椅子型キャリア内に押し込まなければならず、その労力も多大なものとなっている。
【０００７】
本発明は、このような事情に鑑みてなされたものであり、その目的は、介護者に僅かな労力をも要求することなく、被介護者をベッドと車椅子との間を極めて容易に移動させることのできる介護支援装置を提供することにある。
【課題を解決するための手段】
【０００８】
このような目的を達成するために、本発明は、まず、ベッド上で臥位状態にある被介護者の下に平板状に敷設されるキャリアを備え、このキャリアは、被介護者の上半身側の一端が上方に屈曲できるとともに所定の位置で該屈曲の状態を維持できるようにすることにより座椅子に変形し得るように構成したものである。すなわち、キャリアは、屈曲可能に構成され、その一端側において背もたれ部、他端側において座板部として構成できるようになっている。
【０００９】
このように構成されたキャリアを用いることにより、ベッドに臥位状態にある被介護者を、起こすことなく寝たままの状態で容易にキャリア上に移動させることができる。また、被介護者をキャリア上で臥位状態にさせた後はキャリアを屈曲させることで座位状態とすることができるようになる。
【００１０】
そして、キャリアは、その座板部の各辺のうち少なくとも一辺に該一辺から突出し該座板部とほぼ面一になるように取手部を具備するように構成され、車椅子には、座椅子に変形されたキャリアの該取手部を把持する把持機構が備えられ、この把持機構によってキャリアの該取手部を把持した後に、該キャリアを車椅子のほぼ中央に移動させることによって、被介護者を座らせた状態で該キャリアを車椅子上に搭載することができるようになる。
【００１１】
この場合、キャリアに取り付けられる取手部は、キャリアの座板部とほぼ面一に形成されていることから、平板状にしたキャリアの厚みを薄く構成することができる。このため、ベッド上に配置させたキャリアはベッドの表面からの段差を少なくすることができ、ベッド上で横臥される被介護者を容易にキャリア上に移動させることができる効果を奏する。
【００１２】
本発明は、以下の構成によって把握される。
（１）本発明の介護支援装置は、臥位状態の被介護者を座位状態にして搭乗させる介護支援装置であって、屈曲可能に連結された座板部と背もたれ部を有して前記被介護者を搬送するキャリアと、前記キャリアを着脱自在に搭載させる車椅子と、を備え、前記キャリアの前記座板部が、その周縁のうち少なくとも一辺から突出し前記座板部とほぼ面一に形成される取手部を有し、前記車椅子は、前記キャリアの前記取手部を把持する把持機構と、前記把持機構を前記車椅子の中央側へ移動させる摺動機構と、を有し、前記キャリアは、その上に前記被介護者を仰向けに寝かせた場合、前記被介護者の頭部側の一端側を上方へ屈曲させるとともに所定の位置で前記屈曲の状態を維持させることにより、前記一端側を前記背もたれ部、他端側を前記座板部とする座椅子として構成できることを特徴とする。
（２）本発明の介護支援装置は、（１）の構成において、前記把持機構が、前記キャリアの前記取手部を嵌合する開口と、前記開口に嵌合された前記取手部を解除可能に係止する係止部とを備えることを特徴とする。
（３）本発明の介護支援装置は、（１）の構成において、前記車椅子が、さらに、前記把持機構および前記摺動機構を上下動させる上下駆動機構を有することを特徴とする。
【発明の効果】
【００１３】
このように構成した介護支援装置によれば、介護者に僅かな労力をも要求することなく、被介護者をベッドと車椅子との間を極めて容易に移動させることができるようになる。
【図面の簡単な説明】
【００１４】
【図１】本発明の介護支援装置を車椅子の操作取手側から観た斜視図である。
【図２】本発明の介護支援装置を車椅子に搭載されたキャリア側から観た斜視図である。
【図３】本発明の介護支援装置のキャリアの構成図で、（ａ）は平面図を、（ｂ）は側面図を示している。
【図４】キャリアの回動部の構成の一例を示した図で、（ａ）はキャリアが水平状態となっている場合の断面図、（ｂ）はキャリアの一端を所定角度以上に持ち上げた場合の断面図を示している。
【図５】車椅子に取付けられる把持機構の構成図であり、（ａ）は平面図、（ｂ）は先端側から観た正面図である。
【図６】本発明の介護支援装置においてキャリアの車椅子への搭載の一態様を示す説明図である。
【図７】本発明の介護支援装置においてキャリアの車椅子への搭載の他の態様を示す説明図である。
【図８】本発明の介護支援装置においてキャリアの車椅子への搭載の他の態様を示す説明図である。
【図９】（ａ）、（ｂ）、（ｃ）は、図１０（ｄ）、（ｅ）、図１１（ｆ）、（ｇ）とともに、本発明の介護支援装置の操作方法の一態様の工程を示す説明図である。
【図１０】（ｄ）、（ｅ）は、図９（ａ）、（ｂ）、（ｃ）、図１１（ｆ）、（ｇ）とともに、本発明の介護支援装置の操作方法の一態様の工程を示す説明図である。
【図１１】（ｆ）、（ｇ）は、図９（ａ）、（ｂ）、（ｃ）、図１０（ｄ）、（ｅ）とともに、本発明の介護支援装置の操作方法の一態様の工程を示す説明図である。
【発明を実施するための形態】
【００１５】
以下、添付図面を参照して、本発明を実施するための形態（以下、実施形態という）について詳細に説明する。なお、実施形態の説明の全体を通して同じ要素には同じ番号を付している。
（実施態様１）
<全体の概略構成>
図１、２は、本発明の介護支援装置の実施態様１を示す構成図で、図１は、車椅子の操作取手側から観た斜視図、図２は、該車椅子に搭載されたキャリア側から観た斜視図である。
【００１６】
図１に示すように、介護支援装置１は、車椅子１０と該車椅子１０に搭載されるキャリア３０によって構成されている。
【００１７】
車椅子１０は、４個の車輪１１を支持する車体１２を備え、この車体１２の後方側には介護者（図示せず）が車椅子１０を走行操作するための操作取手１３が取り付けられている。この場合、車椅子は、電動で構成することも考えられるが、電池を搭載しなくてはならず、該電池がなくなった場合に被介護者に不安を与えることを考慮し、この実施例では手動で操作できるように構成されている。車体１２の中央には、キャリア３０を搭載するキャリア搭載部１４が備えられている。キャリア搭載部１４は、下部台座１４Ａとこの下部台座１４Ａの上方に配置される上部台座１４Ｂとで構成され、上部台座１４Ｂは、レバー１５の操作によって下部台座１４Ａに対して上方（矢印α）へ移動できるようになっている。すなわち、キャリア搭載部１４には、たとえば油圧回路からなる上下駆動機構２０が内蔵され、前記レバー１５の操作によって該上下駆動機構２０が駆動し、上部台座１４Ｂを上下動できるようになっている。
【００１８】
また、上部台座１４Ｂの上面には車椅子１０の前後方向（矢印β）に摺動する把持機構１６が取り付けられている。この把持機構１６の詳細な構成は後に説明する。把持機構１６は、図２に示すように、上部台座１４Ｂの表面に取り付けられたガイドレール等を有する摺動機構１７に搭載され、該ガイドレールに沿って摺動するようになっている。なお、図２では、該摺動機構１７を目視できるようにキャリア３０は内蔵するフレーム３３のみを示している。
【００１９】
把持機構１６の摺動は、該把持機構１６において車椅子１０の操作取手１３側に取り付けられた第１ハンドル１８を介護者が把持することによって行うようになっている。また、把持機構１６には、キャリア３０に座する被介護者が安全のために掴る第２ハンドル１９が取り付けられている。
【００２０】
キャリア３０は、車椅子１０に搭載される際に座椅子に変形され、この座椅子は座板部３１と背もたれ部３２とで構成されるようになっている。
【００２１】
車椅子１０の把持機構１６は、座椅子に変形されたキャリア３０の座板部３１の前方に形成された取手部（図３において符号３６で示す）を嵌合係止するようになっており、該キャリア３０は、該把持機構１６を操作取手１３側に移動（摺動）させることにより、車椅子１０の中央側に位置づけられるようになっている。
<キャリア３０>
図３は、キャリア３０の構成図で、（ａ）は平面図を、（ｂ）は側面図を示している。キャリア３０は、被介護者が横臥するベッド上に平板状に敷設できるともに、必要に応じて座椅子に変形できるようになっている。
【００２２】
図３（ａ）、（ｂ）に示すように、キャリア３０は、その周縁部に配置されるフレーム３３と、該フレーム３３を被って形成されるたとえば布製のカバー３４によって構成されている。
【００２３】
フレーム３３は座板部３１に内蔵されるフレーム３３Ａと背もたれ部３２に内蔵されるフレーム３３Ｂとで構成されている。フレーム３３Ａとフレーム３３Ｂは回動部３５Ａ、３５Ｂによって連結され、これら回動部３５Ａ、３５Ｂを中心にフレーム３３Ａとフレーム３３Ｂが回動するようになっている。これにより、キャリア３０は、該回動部３５Ａ、３５Ｂを結ぶ部分を屈曲部として屈曲されるようになっている。
【００２４】
図３（ｂ）は、フレーム３３Ａに対してフレーム３３Ｂを前記回動部３５Ａ、３５Ｂを中心として矢印γ方向へ回動させた状態を示している。この場合、フレーム３３Ａに対するフレーム３３Ｂの回動は、所定の角度で回動がなされ、該回動の状態を維持できるようになっている。これにより、キャリア３０の背もたれ部３２側の一端を上方へ屈曲させることができ、所定の位置で前記屈曲の状態を維持させることのできる角度調整機構を備えたものとなっている。なお、キャリア３０の背もたれ部３２の屈曲の状態を解除する場合は、キャリア３０の一端をさらに所定角度以上に回動させることによって水平状態に戻すことができるようになっている。
【００２５】
図４（ａ）、（ｂ）は、前記回動部３５Ａ、３５Ｂの構成の一例を示した図である。図４（ａ）は、キャリア３０が平板状となっている場合の断面図を示し、図４（ｂ）は、キャリア３０の一端を所定角度以上に持ち上げた場合の断面図を示している。
【００２６】
図４（ａ）に示すように、フレーム３３Ａとフレーム３３Ｂがキャリア３０の屈曲部に平行に配置される軸体５０によって支持されている。軸体５０にはラチェットギャ５１が取り付けられ、このラチェットギャ５１は、フレーム３３Ｂの前記軸体５０を中心とした回動に伴って回動するようになっている。前記フレーム３３Ａには、揺動可能に軸支される爪片５２が設けられ、この爪片５２はバネ５３によってラチェットギャ５１に噛合される方向に付勢されるようになっている。また、軸体５０にはラチェットギャ５１と隣接するようにしてカム板５４が回動自在にとりつけられ、カム板５４は、ラチェットギャ５１に形成された突部５５によって軸体５０を中心に回動され、それまでラチェットギャ５１に噛合されている爪片５２を該ラチェットギャ５１から離脱させるようになっている。
【００２７】
このように構成される角度調整機構は、図４（ａ）に示す平板状態からフレーム３３Ｂの一端を起立方向（図中矢印γ方向）に所望の角度まで回動させて停止させることによって、バネ５３で付勢された爪片５２がラチェットギャ５１に噛合し、この状態で係止され所望の傾斜角度が維持されるようになる。そして、フレーム３３Ｂの一端の傾斜角度の解除を行う場合は、図４（ｂ）に示すように、該フレーム３３Ｂの一端を所定角度以上にまで回動させる。この場合、ラチェットギャ５１の側面に形成された突部５５で押されてカム板５４が回動し、バネ５３で付勢された爪片５２をラチェットギャ５１から離脱させるようになる。これにより、フレーム３３Ｂの一端は、図４（ａ）に示すように、水平状態に戻すことができるようになる。
【００２８】
そして、図３に戻り、キャリア３０の座板部３１に内蔵されるフレーム３３Ａは、該座板部３１の周縁に配置される矩形枠を形成し、これによって構成される各辺のうち、座板部３１の前方の辺、側方の辺、後方の辺には、それぞれ、第１取手部３６、第２取手部３７、第３取手部３８が形成されている。これら第１取手部３６、第２取手部３７、第３取手部３８は平面的に観た場合Ｕ字状をなし、フレーム３３Ａの外方へ突出し該フレーム３３Ａとほぼ面一になるように構成されている。
【００２９】
これにより、キャリア３０の厚さは、第１取手部３６、第２取手部３７、第３取手部３８に拘わりなく、フレーム３３Ａ、３３Ｂの径でほぼ決まり、平板状の状態にした場合に比較的薄く構成することができるようになる。
<把持機構１６>
図５は、車椅子１０のキャリア搭載部１４上を摺動可能に取付けられる把持機構１６の構成図であり、（ａ）は平面図、（ｂ）は先端側から観た正面図である。
【００３０】
把持機構１６の先端には開口１６Ａが形成され、この開口１６Ａは把持機構１６の後方へ所定の距離ｌに及んで形成されている。
【００３１】
そして、把持機構１６の開口１６Ａには、キャリア３０のたとえば第１取手部３６が挿入できるようになっている。この場合、開口１６Ａの高さ方向の幅Ｗ１と第１取手部３６の径Ｄはほぼ等しく設定され、開口１６Ａの水平方向の幅Ｗ２と第１取手部３６の幅Ｗはほぼ等しく設定されている。
【００３２】
このため、把持機構１６の開口１６Ａに第１取手部３６が嵌合挿入されたキャリア３０は、把持機構１６に対して水平状態を維持した状態で保持されるようになる。
【００３３】
また、把持機構１６の上面には孔１６Ｂが形成され、開口１６Ａにキャリア３０の第１取手部３６が挿入された状態で、棒体１６Ｐが該孔１６Ｂを通して挿入されることにより、該棒体１６Ｐが障害となって第１取手部３６の把持機構１６からの離脱が防止されるようになっている。
【００３４】
棒体１６Ｐは、図１あるいは図２に示すように、把持機構１６の上面に固定された支持部１６Ｃによって支持され、棒体１６Ｐの先端に回動自在に取付けられ支持部１６Ｃに軸支されて揺動し得る揺動レバー１６Ｄによって、上下方向の移動がなされるようになっている。これにより、棒体１６Ｐは把持機構１６における第１取手部３６を解除可能に係止する係止部としての機能を有し、揺動レバー１６Ｄの操作によってキャリア３０の第１取手部３６の把持機構１６内への嵌合および解除を行うことができるようになっている。
<キャリアの車椅子への搭載の態様>
図１および図２に示したように、座椅子に変形されたキャリア３０の車椅子１０への搭載は、図６に示すように、キャリア３０に座する被介護者６０が車椅子１０の操作取手１３を操作する介護者（図示せず）と向き合うようになされるようにしたものである。
【００３５】
しかし、車椅子１０の把持機構１６によって、キャリア３０の第３取手部３８を嵌合保持させることによって、図７に示すように、キャリア３０は、それに座する被介護者６０が車椅子１０の操作取手１３を操作する介護者（図示せず）と同方向を見ることができるように、搭載させることもできる。
【００３６】
この場合、車椅子１０は、図２に示すように、車体１２に引出可能に収納される足場板２１を引き出すことができるように構成され、これにより、被介護者６０は、車椅子１０に安定して座ることができるようになっている。
【００３７】
また、車椅子１０の把持機構１６によって、キャリア３０の第２取手部３７を嵌合保持させることによって、図８に示すように、キャリア３０は、それに座する被介護者６０が車椅子１０の操作取手１３を操作する介護者（図示せず）に対して横向きになるように、搭載させることもできる。
<介護支援装置の操作方法>
次に、上述したように構成された介護支援装置１の操作方法の例について説明する。なお、以下に説明する操作方法は単に一例を示すものであり、状況の変化によって適宜変更することのできるものである。
（１）図９（ａ）に示すように、ベッド６２に横臥されている被介護者６０をベッド６２の一方の側方（図中上方）へ寄せた後、ベッド６２の他方の側方（図中下方）にキャリア３０を敷設する。この場合、キャリア３０は、座椅子として変形される以前の平板状となっている状態でベッド６２に敷設されるようにする。これにより、キャリア３０は、それに取り付けられた第２取手部３７がベッド６２の他方の側方（図中下方）から外方に突出した状態で配置されるようになる。なお、キャリア３０には、上述したように、第２取手部３７の他に、第１取手部３６、第３取手部３８が備えられているが、ここでは、第１取手部３６、第３取手部３８を省略して示している。
（２）図９（ｂ）に示すように、ベッド６２の一方の側方（図中上方）に横臥されている被介護者６０を、起こすことなく寝たままの状態で移動させてキャリア３０上に仰向けに寝かせる。この場合、キャリア３０は、比較的薄く（フレーム３３の径程度の厚さ）構成され、ベッド６２の表面からの段差が少なく、介護者は被介護者６０を極めて容易にキャリア３０上に寝かせることができるようになる。
（３）図９（ｃ）に示すように、キャリア３０の一端（被介護者６０の頭部側の一端）を持ち上げる方向へ回動させ、これにより被介護者６０の上半身が起こされる。キャリア３０は、その背もたれ部３２が座板部３１に対して屈曲された座椅子に変形され、被介護者６０は該座椅子に坐した状態となる。
【００３８】
この場合、キャリア３０の背もたれ部３２は、その屈曲部の回動部３５Ａ、３５Ｂ（図３参照）に形成されるラチェットギャ５１が爪片５２に係止され（図４参照）、その回動の状態を維持できるようになっている。なお、再び、キャリア３０を平板状に変形させる場合には、上述したように、背もたれ部３２を所定角度以上に回動させることにより、爪片５２のラチェットギャ５１への係止を解除（図４参照）することによって行うことができる。
（４）図１０（ｄ）に示すように、介護者（図示せず）は、車椅子１０を用意し、ベッド６２の他方の側方（図中下方）へ車椅子１０を操作取手１３を把持する手押しによって移動させる。
【００３９】
この場合、車椅子１０の把持機構１６をキャリア３０の第２取手部３７に対向させるようにして車椅子１０を移動させる。また、車椅子１０の把持機構１６がキャリア３０の第２取手部３７に対して上下方向にずれている場合には、介護者は、レバー１５（図１、図２参照）の操作によって前記上下駆動機構２０を駆動させ、上部台座１４Ｂ（図１、図２参照）を上下動することにより、該把持機構１６を第２取手部３７に正確に対向させるようにする。この場合、上下駆動機構２０は、上述したように油圧回路によって行っていることから、たとえば電池を搭載する電動機構を用いた場合と比較すると、該電池がなくなって該上下駆動機構２０が停止して被介護者に不安を与えてしまう不都合を回避させることができるようになる。
（５）図１０（ｅ）に示すように、把持機構１６が第２取手部３７に正確に対向されていることを確認した後、介護者は車椅子１０を前方（図中矢印Ｐ方向）に若干移動させることにより、車椅子１０の把持機構１６内にキャリア３０の第２取手部３７を挿入させる。その後、把持機構１６に取り付けられた揺動レバー１６Ｄ（図１、図２参照）を操作することによって、棒体１６Ｐを把持機構１６内に挿入させ、把持機構１６と第２取手部３７との係止を図る。
（６）図１１（ｆ）に示すように、介護者は、第１ハンドル１８（図１、図２参照）を把持し、手前に引くことにより、把持機構１６を摺動機構１７（図１、図２参照）のガイドレールに沿って図中矢印Ｑ方向へ摺動させることにより、キャリア３０を車椅子１０の中央側に移動させる。これにより、キャリア３０は車椅子１０において安定した位置を保持でき、被介護者６０はキャリア３０上において座位状態で車椅子１０に搭乗できるようになる。
（７）その後は、図１１（ｇ）に示すように、介護者は、車椅子１０を方向転換（たとえば図中矢印Ｓ方向）させ、目的の場所に被介護者６０を搬送するようにする。なお、介護者は、その後、車椅子１０に乗せた被介護者６０をベッド６２に再び横臥させる場合は、上述したと逆の動作を行うようにすればよい。これにより、キャリア３０は車椅子１０に対して着脱自在に搭載させることができる。
【００４０】
図９ないし図１１では、車椅子１０の把持機構１６はキャリア３０の第２取手部３７を把持することによって該キャリア３０を該車椅子１０に搭載させるようにしたものである。しかし、第２取手部３７に限らず、第１取手部３６、第３取手部３８を把持機構１６によって把持するようにして、キャリア３０を該車椅子１０に搭載させるようにしてもよいことはもちろんである。この場合、ベッド６２に敷設するキャリア３０は、該ベッド６２との間に表面が滑らかなシートを配置させておくことで、該キャリア３０をベッド６２上で容易に回転させて方向転換でき、該キャリア３０の第１取手部３６あるいは第３取手部３８を車椅子１０の把持機構１６の側へ指向させることができる。
【００４１】
このように構成した介護支援装置によれば、まず、ベッド６２上で臥位状態にある被介護者６０の下に平板状に敷設されるキャリア３０を備え、このキャリア３０は、被介護者６０の上半身側の一端が上方に屈曲できるとともに所定の位置で該屈曲の状態を維持できるようにすることにより座椅子に変形し得るように構成したものである。すなわち、キャリア３０は、屈曲可能に構成され、その一端側において背もたれ部３２、他端側において座板部３１として構成できるようになっている。
【００４２】
このように構成されたキャリア３０を用いることにより、ベッド６２に臥位状態にある被介護者６０を、起こすことなく寝たままの状態で容易にキャリア３０上に移動させることができる。また、被介護者６０をキャリア３０上で臥位状態にさせた後はキャリア３０を屈曲させることで座位状態とすることができるようになる。
【００４３】
そして、キャリア３０は、その座板部３１の各辺のうち少なくとも一辺に該一辺から突出し該座板部３１とほぼ面一になるように取手部（たとえば第２取手部３７）を具備するように構成され、車椅子１０には、座椅子に変形されたキャリア３０の該取手部（たとえば第２取手部３７）を把持する把持機構１６が備えられ、この把持機構１６によってキャリア３０の該取手部（たとえば第２取手部３７）を把持した後に、該キャリア３０を車椅子１０のほぼ中央に移動させることによって、被介護者６０を座位状態で該キャリア３０を車椅子１０上に搭載することができるようになる。
【００４４】
この場合、キャリアに取り付けられる取手部（たとえば第２取手部３７）は、キャリア３０の座板部３１とほぼ面一に形成されていることから、平板状にしたキャリア３０の厚みを薄く構成することができる。このため、ベッド６２上に配置させたキャリア３０はベッド６２の表面からの段差を少なくすることができ、ベッド６２上で横臥される被介護者６０を容易にキャリア３０上に移動させることができる効果を奏する。
（実施態様２）
実施形態１に示したキャリア３０は、その座板部３１の周辺に第１取手部３６、第２取手部３７、第３取手部３８を設けるようにしたものである。しかし、これら取手部は、いずれか一つあるいは二つを任意の位置に設けるように構成してもよいことはもちろんである。
（実施態様３）
実施態様１に示したキャリア３０は、その屈曲部において、キャリア３０の一端の所定角度以上の回動によって、ラチェットギャ５１に対する爪片５２の解除がなされる機構を備えたものを示したものである。しかし、これに限らず、屈曲部の近傍にレバーを備え、このレバー操作によってラチェットギャ５１に対する爪片５２の解除がなされるように構成するようにしてもよいことはもちろんである。
【００４５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００４６】
１……介護支援装置、１０……車椅子、１１……車輪、１２……車体、１３……操作取手、１４……キャリア搭載部、１４Ａ……下部台座、１４Ｂ……上部台座、１５……レバー、１６……把持機構、１６Ａ……開口、１６Ｂ……孔、１６Ｃ……支持部、１６Ｄ……揺動レバー、１６Ｐ……棒体、１７……摺動機構、１８……第１ハンドル、１９……第２ハンドル、２０……上下駆動機構、２１……足場板、３０……キャリア、３１……座板部、３２……背もたれ部、３３、３３Ａ、３３Ｂ……フレーム、３４……カバー、３５Ａ、３５Ｂ……回動部、３６……第１取手部、３７……第２取手部、３８……第３取手部、５０……軸体、５１……ラチェットギャ、５２……爪片、５３……バネ、５４……カム板、５５……突部、６０……被介護者、６２……ベッド。
【図１】
2014042708.tif 000003
【図２】
2014042708.tif 000004
【図３】
2014042708.tif 000005
【図４】
2014042708.tif 000006
【図５】
2014042708.tif 000007
【図６】
2014042708.tif 000008
【図７】
2014042708.tif 000009
【図８】
2014042708.tif 000010
【図９】
2014042708.tif 000011
【図１０】
2014042708.tif 000012
【図１１】
2014042708.tif 000013